【事件の表示】
　特願２００１−１０８１０３「洗浄剤組成物」拒絶査定不服審判事件〔平成１４年１０月１８日出願公開、特開２００２−３０２６９７〕について、次のとおり審決する。
【結　論】
　本件審判の請求は、成り立たない。
【理　由】
第１　手続の経緯
　本願は、平成１３年４月６日の出願であって、平成２１年４月１６日付けの拒絶理由通知に対し、平成２１年６月１５日付けで意見書の提出とともに手続補正がなされ、平成２１年７月１０日付けの拒絶査定に対し、平成２１年１０月７日付けで審判請求がなされ、平成２４年３月１２日付けの拒絶理由通知に対し、平成２４年５月１４日付けで意見書の提出とともに手続補正がなされたものである。
　
第２　本願発明
　本願請求項１〜２に係る発明は、平成２４年５月１４日付けの手続補正により補正された特許請求の範囲の請求項１〜２に記載された事項により特定されるとおりのものであって、その請求項１に係る発明（以下、「本願発明」という。）は次のとおりのものである。
「（Ａ）黒砂糖エキスと、
（Ｂ）（Ｂ１）及び（Ｂ２）
（Ｂ１）ジメチルポリシロキサン、ポリエーテル変性シリコーン及びアミノ変性シリコーンから選ばれる不揮発性のシロキサン化合物、
（Ｂ２）カチオン化セルロース誘導体及びジメチルジアリルアンモニウムクロライド誘導体から選ばれるカチオン性ポリマー
からなる群より選ばれる１種又は２種以上とを含有することを特徴とする洗浄剤組成物。」
　
第３　審判合議体による拒絶の理由
　平成２４年３月１２日付けの拒絶理由通知に示した拒絶の理由は、理由１として『この出願の請求項１〜３に係る発明は、その出願前日本国内又は外国において頒布された下記の刊行物Ａ〜Ｅに記載された発明に基づいて、その出願前にその発明の属する技術の分野における通常の知識を有する者が容易に発明をすることができたものであるから、特許法第２９条第２項の規定により特許を受けることができない。』との理由を含むものであって、
　具体的には『植物抽出物や着色剤を配合してなる洗浄剤組成物に、カチオン性ポリマー（商品名「マーコート５５０」又は商品名「ポリマーＪＲ４００」として普通に流通しているもの。）若しくはシロキサン化合物（ジメチルポリシロキサン）を適切な量で配合して、泡質のクリーミィさ、洗浄時の感触、洗浄後の皮膚・毛髪の滑らかさ等のコンディショニング効果に優れ、しかも洗浄後の皮膚や毛髪への残留感等もなく、起泡性、洗浄性に優れ、同時に洗浄時の感触、洗浄後の滑らかさ、しなやかさに優れ、乾燥後のべたつきのないコンディショニング効果に優れたものにしてみることは、刊行物Ｂ〜Ｄに記載されるように、当業者にとって周知慣用の常套手段になっていたものと認められるから、刊行物Ａに記載された発明に、刊行物Ｂ〜Ｄに記載された周知慣用の常套手段を組み合わせて、洗浄剤組成物の泡立ちや泡質を改良し、洗浄時及び乾燥後の感触を良好にするという作用効果を得ることは、当業者にとって通常の創作能力の発揮の範囲内である。』という旨の指摘をしたものである。
　
第４　当審の判断
１．引用刊行物及びその記載事項
（１）刊行物Ａ
　平成２４年３月１２日付けの拒絶理由通知において「刊行物Ａ」として引用された本願出願前に頒布された刊行物である「特開平７−２７７９４２号公報」には、次の記載がある。
　
摘記Ａ１：段落００１４及び００２６
「また、この発明においては前記コガネバナ（Ｓｃｕｔｅｌｌａｒｉａ　ｂａｉｃａｌｅｎｓｉｓ　ＧＥＯＲＧＩ）の粉砕物及び／又はその抽出物とともに粗黒糖から抽出された色素成分も必須成分として使用される。ここで、色素成分とは、ショ糖の未精製品（黒砂糖）から得られる黒色色素成分（例えばコクトオリゴ（商品名、（株）大阪薬品研究所製）のことを指す。…
（２）粗黒糖から抽出した色素成分の調製…サンプル（Ｆ）沖縄産黒砂糖５ｋｇを水２５リットルに溶解し、…甘みの全くない褐色の粉末色素成分１５ｇを得た。」
　
摘記Ａ２：段落００２８
「（実施例４）
　薬用ボディシャンプー　　　　　　　　　　　　　　　　重量％
　コガネバナ粉砕物　　　　　　　　　　　　　　　　　　０．０６　
　〔サンプル（Ｃ）にて得られたバイカレインと
　　　オーゴニン７−Ｏ−グルクロニドとの１：１混合物〕
　粗糖色素成分〔サンプル（Ｆ）〕　　　　　　　　　　　０．０５　
　ラウリル硫酸ナトリウム　　　　　　　　　　　　　　　１０．０　
　ラウリルスルホコハク酸ナトリウム　　　　　　　　　　２０．０　
　ラウリルジエタノールアミド　　　　　　　　　　　　　　４．０　
　加水分解コラーゲン　　　　　　　　　　　　　　　　　　１．０　
　ジステアリン酸エチレングリコール　　　　　　　　　　　１．０　
　エデト酸四ナトリウム四水塩　　　　　　　　　　　　　　０．１　
　アラントイン　　　　　　　　　　　　　　　　　　　　　０．０１
　塩化リゾチーム　　　　　　　　　　　　　　　　　　　　０．０１
　香　　料　　　　　　　　　　　　　　　　　　　　　　適　　量　
　精製水　　　　　　　　　　　　　　　　　　　　　　　残　　部　
　　　　　　　　　　　　　　　　　　　　　　　　　　１００．０　」
　
（２）刊行物Ｂ
　平成２４年３月１２日付けの拒絶理由通知において「刊行物Ｂ」として引用された本願出願前に頒布された刊行物である「特開平９−４０９９６号公報」には、次の記載がある。
　
摘記Ｂ１：段落０００２〜０００３
「近年、シャンプーの性能は単なる洗浄性のみではなく、毛髪の損傷がないこと、すすぎ時の指通りの良いことや仕上がった髪の感触の良いこと等のコンディショニング効果が非常に重要なポイントとなっている。このため、コンディショニング剤としてカチオン化セルロース等のカチオンポリマーを含有した組成物が広く使用されている。これらのカチオンポリマーは、界面活性剤と複合体を形成し、すすぎ時にこの複合体が毛髪上に沈着して高いコンディショニング効果を発揮するものである。しかしながら、それらの効果が十分に発揮される量を添加した場合には乾燥する過程で不快なべとつきを生じ、乾燥するにつれてカチオンポリマーのコンプレックスが固化し、ごわつき等が生じるといった問題がある。…
　従って、本発明の目的は、起泡性、洗浄性に優れ、同時に洗浄時の感触、洗浄後の滑らかさ、しなやかさに優れ、乾燥後のべたつきのないコンディショニング効果に優れた洗浄剤組成物を提供することにある。」
　
摘記Ｂ２：段落００３９及び００５５
「これらの成分（Ａ）は、単独で又は２種以上を組合せて使用することができる。また本発明の洗浄剤組成物中への成分（Ａ）の配合量は特に制限されるものではないが、０．０１〜５重量％（以下、特に断わらない限り「％」で示す。）、特に０．０５〜２．０％が好ましい。この範囲内であると、泡質のクリーミィさ、洗浄時の感触、洗浄後の皮膚・毛髪の滑らかさ等のコンディショニング効果に優れ、しかも洗浄後の皮膚や毛髪への残留感等もなく、感触上好ましい。…
　また、その他洗浄剤組成物中に通常使用される成分、例えば…動植物抽出物又はその誘導体；…色素、…などを、本発明の効果を損なわない範囲で必要に応じて配合することができる。」
　
摘記Ｂ３：段落００５８及び００６８
「実施例１、比較例１　表１〜表８に示す組成の洗浄剤組成物（ｐＨ７）を調整し、各々について起泡量、泡質、毛髪の感触について評価を行った。…
【表４】　成分　　　　　　　　　　　　　　　　　　本発明品…１６　…
ポリオキシエチレン（４．５）アルキル（Ｃ１２／Ｃ１４＝７５　　１　　
　／２５）エーテル酢酸マグネシウム塩　　　　　　　　　　　　　　　…
ポリオキシエチレン（２）ラウリルアミドエーテル酢酸マグネシ　　８　　
　ウム塩　　　　　　　　　　　　　　　　　　　　　　　　　　　　　　
Ｎ−ラウロイル−Ｎ’−カルボキシメチル−Ｎ’−（２−ヒドロ　　１　　
　キシエチル）エチレンジアミントリエタノールアミン塩　　　　　　　…
カチオンポリマー＊２　　　　　　　　　　　　　　　　　　　０．３　…
硫酸マグネシウム　　　　　　　　　　　　　　　　　　　　　０．３　…
イオン交換水　　　　　　　　　　　　　　　　　　　　　　　　残量　　
評価　起泡量　　　　　　　　　　　　　　　　　　　　　　　　　◎　　
　　　泡質　　　　　　　　　　　　　　　　　　　　　　　　　　◎　　
　　　シャンプー泡立て時の感触　　　　　　　　　　　　　　　　◎　　
　　　すすぎ時の感触　　　　　　　　　　　　　　　　　　　　　◎　　
　　　毛髪乾燥後の感触　　　　　　　　　　　　　　　　　　　　◎　…
２）ジメチルジアリルアンモニウムクロライドとアクリルアミドとの共重合物（マーコート５５０，メルク社製）」
　
（３）刊行物Ｃ
　平成２４年３月１２日付けの拒絶理由通知において「刊行物Ｃ」として引用された本願出願前に頒布された刊行物である「特開平７−２１５８２８号公報」には、次の記載がある。
　
摘記Ｃ１：請求項１
「（Ａ）シリカ粒子又は溶剤不溶性シリコーン樹脂、（Ｂ）水溶性シリコーン誘導体、及び（Ｃ）ジメチルポリシロキサンの混合物を界面活性剤水溶液中に分散せしめたことを特徴とする洗浄剤組成物。」
　
摘記Ｃ２：段落０００３及び０００７〜０００８
「毛髪化粧料は、連続使用した場合に毛髪に高粘度シリコーンが付着、蓄積し、べたつき感や思い油性感が生じてしまい、しかも髪のまとまりも悪化するという問題がある。…
　シリコーン及びシリカ粒子…を界面活性剤中に配合した場合は、それらが有する消泡作用のため（…）、洗浄剤として満足できるような泡立ちが得られないという問題がある。…
　本発明の目的は、上記した種々の問題を解決し、界面活性剤中にシリコーン成分が安定に分散され、泡立ちがよく、乾燥後のべたつき感がなく、使用感及びコンディショニング効果に優れた洗浄剤組成物を提供することにある。」
　
摘記Ｃ３：段落００４１
「かくして得られる本発明洗浄剤組成物は、ヘアシャンプー、ボディシャンプー等に使用するのが好ましい。」
　
摘記Ｃ４：段落００４８
「実施例２…下記組成の洗浄剤組成物を製造した。…
（成分）　　　　　　　　　　　　　　　　　　　　（重量％）…
ジメチルポリシロキサン（粘度１００，０００ｃｓ）　２．０　　
カチオン化セルロース（ポリマーＪＲ４００）　　　　０．４　　
保存料、着色剤、香料　　　　　　　　　　　　　　　充分量　　」
　
（４）刊行物Ｄ
　平成２４年３月１２日付けの拒絶理由通知において「刊行物Ｄ」として引用された本願出願前に頒布された刊行物である「特開平６−８０５５９号公報」には、次の記載がある。
　
摘記Ｄ１：請求項１
「水不溶性高分子粉体と水不溶性不揮発性シリコーンとの混合物を界面活性剤水溶液中に分散せしめた洗浄剤組成物。」
　
摘記Ｄ２：段落０００５及び００８０
「毛髪化粧料は連用により毛髪に高粘度シリコーンが蓄積し、べたつき感や重い油性感が生じてしまい、しかも髪のまとまりが悪化するという欠点があった。…
　かくして得られる本発明洗浄剤組成物は、ヘアシャンプー、ホディシャンプー等に使用するのが好ましい。」
　
摘記Ｄ３：段落０１２２及び０１２５
「（本発明品１５）…
（３）ジメチルポリシロキサン（１０，０００ｃｓ）　２．０％　
（４）メチルフェニルポリシロキサン（１００ｃｓ）　０．５％　
（５）ポリ塩化ジメチルジアリルアンモニウムクロライド／アクリル
　　　アミド共重合体（…マーコート５５０）　　　　０．５％　
（６）保存料、着色剤、香料　　　　　　　　　　　　充分量　…
　本発明の洗浄剤組成物はシリコーンを含みながらも長期間安定で、しかも、べたつきがなくコンディショニング効果に優れたものである。」
　
（５）引用文献８
　平成２１年４月１６日付けの拒絶理由通知において「引用文献８」として引用された本願出願前に頒布された刊行物である「特開平１０−１２１０９０号公報」には、次の記載がある。
　
摘記８ａ：段落００２９及び００３１
「本発明の洗浄剤組成物の（Ｄ）成分であるカチオン化ポリマーとしては、…塩化ジメチルジアリルアンモニウム・アクリルアミド共重合体、カチオン化セルロースが好ましい。…
　これら（Ｄ）成分の配合量は洗浄剤組成物中の０．０１〜５．０重量％が適当であり、好ましくは０．０５〜３．０重量％である。０．０１重量未満では泡の持続性が悪く、５．０重量％を超えるとすすぎ性が劣る。」
　
摘記８ｂ：段落００４９
「実施例５１
　［ボディシャンプー］　　　　　　　　　　　　　　　　　重量％　
　（１）ラウリルリンゴ酸アミドトリエタノールアミン　　１０．０　
　（２）ミリスチルリンゴ酸アミドトリエタノールアミン　１０．０　
　（３）カヤクリルレジン　　　　　　　　　　　　　　　　０．１　
　（４）プロピレングリコール　　　　　　　　　　　　　１０．０　
　（５）ソルビトール　　　　　　　　　　　　　　　　　　３．０　
　（６）エチレンジアミンテトラアセテート　　　　　　　　０．１５
　（７）香料　　　　　　　　　　　　　　　　　　　　　　０．２　
　（８）精製水　　　　　　　　　　　　　　　　　　　　　バランス
　上記配合組成に従い、加熱水に上記（１）〜（６）成分を溶解し、冷却後、上記（７）成分を添加し、ボディシャンプー組成物を調製した。得られたボディシャンプー組成物で身体を洗浄したところ、泡のクリーミィ性、及び泡の持ちに優れ、かつすすぎ時から乾燥時までさっぱりとして肌の滑りが良く、使用感に優れていた。」
　
２．刊行物Ａに記載された発明
　摘記Ａ１の「粗黒糖から抽出した色素成分の調製…サンプル（Ｆ）」との記載、及び摘記Ａ２の「（実施例４）薬用ボディシャンプー…粗糖色素成分〔サンプル（Ｆ）〕０．０５…加水分解コラーゲン１．０」との記載からみて、刊行物Ａには、
『（Ａ）粗黒糖から抽出した粗糖色素成分と、（Ｂ）加水分解コラーゲンとを含有する薬用ボディーシャンプー。』という発明（以下、「引用発明」という。）が記載されている。
　
３．対比
　本願発明と引用発明を対比する。 
　引用発明の「（Ａ）粗黒糖から抽出した粗糖色素成分」は、摘記Ａ１の「色素成分とは、ショ糖の未精製品（黒砂糖）から得られる黒色色素成分（例えばコクトオリゴ（商品名、（株）大阪薬品研究所製）のことを指す。」との記載、及び本願明細書の段落０００６の「望ましいエキスとして市販されているものとしては大阪薬品研究所社製の「コクトオリゴ」等がある。」との記載からみて、本願発明の「（Ａ）黒砂糖エキス」に相当し、
　引用発明の「薬用ボディーシャンプー」は、本願明細書の段落００１９の「本発明の洗浄剤組成物は、ボディシャンプー、…ヘアシャンプー等の身体用として好ましく適用することができ」との記載からみて、本願発明の「洗浄剤組成物」に相当するから、
　両者は、『（Ａ）黒砂糖エキスを含有する洗浄剤組成物。』というものである点において一致し、
　成分（Ｂ）が、本願発明においては「（Ｂ１）及び（Ｂ２）　（Ｂ１）ジメチルポリシロキサン、ポリエーテル変性シリコーン及びアミノ変性シリコーンから選ばれる不揮発性のシロキサン化合物、（Ｂ２）カチオン化セルロース誘導体及びジメチルジアリルアンモニウムクロライド誘導体から選ばれるカチオン性ポリマー　からなる群より選ばれる１種又は２種以上」であるのに対して、引用発明においては「加水分解コラーゲン」という「ペプチド誘導体」である点〔「加水分解コラーゲン」が成分（Ｂ）に含まれることは本願明細書の段落００１２〜００１３の「本発明で使用される成分（Ｂ）のペプチド誘導体としては…蛋白質加水分解物等が挙げられ、…タンパク質としては、例えば、コラーゲン」との記載から明らかである。〕、においてのみ相違する。
　
４．判断
　上記相違点について検討する。
　摘記Ｂ１の「乾燥するにつれてカチオンポリマーのコンプレックスが固化し、ごわつき等が生じるといった問題がある。…従って、本発明の目的は、起泡性、洗浄性に優れ、同時に洗浄時の感触、洗浄後の滑らかさ、しなやかさに優れ、乾燥後のべたつきのないコンディショニング効果に優れた洗浄剤組成物を提供することにある。」との記載、摘記Ｂ２の「洗浄剤組成物中への成分（Ａ）の配合量は…特に０．０５〜２．０％が好ましい。この範囲内であると、泡質のクリーミィさ、洗浄時の感触、洗浄後の皮膚・毛髪の滑らかさ等のコンディショニング効果に優れ、しかも洗浄後の皮膚や毛髪への残留感等もなく、感触上好ましい。…また、その他洗浄剤組成物中に…動植物抽出物…色素…などを…配合することができる。」との記載、及び摘記Ｂ３の『本発明品１６』の「マーコート５５０」との記載を参酌するに、
　刊行物Ｂには、動植物抽出物や色素を配合した洗浄剤組成物に「マーコート５５０」などのカチオンポリマーを０．０５〜２．０重量％の範囲内で配合することにより「泡質のクリーミィさ、洗浄時の感触、洗浄後の皮膚・毛髪の滑らかさ等のコンディショニング効果に優れ、しかも洗浄後の皮膚や毛髪への残留感等もなく、感触上好ましい」という効果が得られ、「乾燥するにつれてカチオンポリマーのコンプレックスが固化し、ごわつき等が生じるといった問題」を解決し、「起泡性、洗浄性に優れ、同時に洗浄時の感触、洗浄後の滑らかさ、しなやかさに優れ、乾燥後のべたつきのないコンディショニング効果に優れた洗浄剤組成物を提供すること」が可能になることが記載されているものと認められる。
　また、摘記Ｃ４の「実施例２…下記組成の洗浄剤組成物を製造した。…ジメチルポリシロキサン（粘度１００，０００ｃｓ）…カチオン化セルロース（ポリマーＪＲ４００）」との記載、摘記Ｃ３の「本発明洗浄剤組成物は…ボディシャンプー等に使用する」との記載、及び摘記Ｃ２の「泡立ちがよく、乾燥後のべたつき感がなく、使用感及びコンディショニング効果に優れた洗浄剤組成物を提供する」との記載を参酌するに、
　刊行物Ｃには、ボディシャンプー等の洗浄剤組成物において、ジメチルポリシロキサン（粘度１００，０００ｃｓ）やカチオン化セルロース（ポリマーＪＲ４００）を配合することによって、泡立ちがよくなる等の効果の改善が得られることが記載されているものと認められる。
　そして、摘記Ｄ３の「（本発明品１５）…ジメチルポリシロキサン（１０，０００ｃｓ）…ポリ塩化ジメチルジアリルアンモニウムクロライド／アクリルアミド共重合体（…マーコート５５０）…本発明の洗浄剤組成物はシリコーンを含みながらも長期間安定で、しかも、べたつきがなくコンディショニング効果に優れたものである。」との記載、及び摘記Ｄ２の「連用により…高粘度シリコーンが蓄積し、べたつき感や重い油性感が生じてしま…う欠点があった。…本発明洗浄剤組成物は…ホディシャンプー等に使用するのが好ましい。」との記載を参酌するに、
　刊行物Ｄには、ボディシャンプー等の洗浄剤組成物において、ジメチルポリシロキサン（１０，０００ｃｓ）や、ポリ塩化ジメチルジアリルアンモニウムクロライド／アクリルアミド共重合体（マーコート５５０）を配合することによって、連用によるべたつき感の解消などの効果が得られることが記載されているものと認められる。
　加えて、摘記８ａの「本発明の洗浄剤組成物の（Ｄ）成分であるカチオン化ポリマーとしては、…塩化ジメチルジアリルアンモニウム・アクリルアミド共重合体、カチオン化セルロースが好ましい。…これら（Ｄ）成分の配合量は…０．０１重量未満では泡の持続性が悪く、５．０重量％を超えるとすすぎ性が劣る。」との記載、及び摘記８ｂの「実施例５１　［ボディシャンプー］…（３）カヤクリルレジン　０．１…得られたボディシャンプー組成物で身体を洗浄したところ、泡のクリーミィ性、及び泡の持ちに優れ、かつすすぎ時から乾燥時までさっぱりとして肌の滑りが良く、使用感に優れていた。」との記載を参酌するに、
　引用文献８には、ボディシャンプー等の洗浄剤組成物において、塩化ジメチルジアリルアンモニウム・アクリルアミド共重合体（カヤクリルレジン）や、カチオン化セルロースを配合することによって、泡のクリーミィ性などの効果の改善が得られることが記載されているものと認められる。
　
　してみると、ボディシャンプー等の洗浄剤組成物に、ジメチルポリシロキサン等の不揮発性のシロキサン化合物、若しくは、カチオン化セルロース誘導体（例えば商品名「ポリマーＪＲ４００」として普通に流通している「カチオン化セルロース」など。）又はジメチルジアリルアンモニウムクロライド誘導体（例えば商品名「マーコート５５０」として普通に流通している「塩化ジメチルジアリルアンモニウム・アクリルアミド共重合体」など。）を適切な量で配合して、泡立ち等の効果に優れたものにしてみることは、刊行物Ｂ〜Ｄ（及び引用文献８）に記載されるように、本願出願時の技術水準において当業者にとって「通常の知識の範囲内」の技術常識になっていたものと認められる。
　
　したがって、引用発明の「薬用ボディシャンプー」の組成に、刊行物Ｂ〜Ｄ（及び引用文献８）に記載された「ボディシャンプー」等の洗浄剤組成物に使用される「ジメチルポリシロキサン」や「ジメチルジアリルアンモニウムクロライド誘導体」等の周知慣用の成分を更に配合して、洗浄剤組成物の泡立ちを良好にする等の作用効果を得るように設計変更することは、当業者にとって通常の創作能力の発揮の範囲内である。
　
　次に、本願発明の作用効果について検討するに、引用発明は、成分（Ｂ）として「加水分解コラーゲン」というペプチド誘導体を配合しているものであるから、本願明細書の段落００４４に記載されている「泡立ち、泡質が良好で、すすぎ時のつっぱり感やきしみ感がなく、長期間の連用によってもべたつき感、ごわつき感が生じない洗浄剤組成物を提供することができる。」という効果をそもそも発揮し得ているものと認められるから、本願発明に格別予想外の新規な効果があるとは認められない。
　そして、刊行物Ｂ〜Ｄ（及び引用文献８）に記載されるように、洗浄剤組成物に「ジメチルポリシロキサン」や「ジメチルジアリルアンモニウムクロライド誘導体」等の周知慣用の成分を適切な量で更に配合すれば「泡立ち」などの使用感が良好になる等の効果が得られることも、本願出願時の技術水準において普通に知られていたから、本願発明に格別予想外の顕著な効果があるとは認められない。
　
　以上のとおりであるから、本願発明は、刊行物Ａ〜Ｄに記載された発明に基づいて、当業者（その発明の属する技術の分野における「通常の知識」を有する者）が容易に発明をすることができたものである。
 
５．請求人の主張について
　平成２４年５月１４日付けの意見書においては、『（３−３）前述のように、刊行物Ａに記載された発明は、皮膚外用剤についての発明であり、皮膚に対する安全性が極めて高く、アトピー性皮膚炎やじんましん、ニキビ、吹き出物等の皮膚疾患の症状緩和や増悪の抑制、美肌を目的とするものです。一方、刊行物Ｂ〜Ｄに記載された発明は、洗浄剤組成物についての発明であり、洗浄剤としての、起泡性、洗浄性に優れ、同時に洗浄時の感触、洗浄後の滑らかさ、しなやかさに優れ、乾燥後のべたつきのないコンディショニング効果に優れるといった効果を目的とするものです。従って、刊行物Ａの発明と、刊行物Ｂ〜Ｄの発明は、その目的が共通するものではなく、刊行物Ａの発明において、刊行物Ｂ〜Ｄの発明を参酌する動機付けはありません。拒絶理由通知において、「従来の洗浄剤組成物の泡立ちや泡質を改良し、洗浄時及び乾燥後の感触を良好にするという課題が当該技術分野において普遍的に存在するので、刊行物Ａの薬用ボディシャンプーに刊行物Ｂ〜Ｄに記載された周知技術を組み合わせることに阻害要因は認められない」と指摘されています。しかしながら、上述のように、刊行物Ａに刊行物Ｂ〜Ｄを組み合わせる積極的な動機付けはないので、本願発明が容易に想到し得るとはいえないものであります。』との主張がなされている。
　しかしながら、引用発明（刊行物Ａに記載された「実施例４」の「薬用ボディシャンプー」の具体例）は「ボディシャンプー」という洗浄剤組成物に関するものであるから、刊行物Ｃ及びＤなどに記載された「ボディシャンプー」という洗浄剤組成物における周知の『自明な課題』ないし『一般的な課題』は、当業者において当然予測できる程度の事項であると認められる。
　してみると、引用発明（刊行物Ａに記載された発明）に刊行物Ｃ及びＤなどに記載された周知技術を組み合わせることは、当業者において当然予測できる程度の動機付けがあるものと認められる。
　したがって、上記意見書の請求人の主張は採用できない。
　
６．むすび
　以上総括するに、本願発明は、刊行物Ａ〜Ｄに記載された発明に基づいて、当業者が容易に発明をすることができたものであるから、特許法第２９条第２項の規定により、特許を受けることができない。
　したがって、本願は拒絶すべきものである。
　よって、結論のとおり審決する。